(57)【要約】【課題】炊飯動作中に発生する異常状態を検知可能な炊飯器において、炊飯動作中に発生する異常状態の回数を記憶して、同じ異常状態が連続する場合は、製品に異常があると判断して製品異常表示に変更し、使用者に正確な異常状態の情報を提供できるようにする。【解決手段】シーケンス記憶手段５に記憶された炊飯シーケンスに合わせて制御手段２により加熱コイル１２を制御し、炊飯器の状態をＬＣＤ２３に表示し、炊飯動作中に発生する誤操作、誤動作などの異常状態を異常状態検知手段６により検知し、異常状態検知手段６が異常状態を検知した炊飯動作回数を回数記憶手段７に記憶する。制御手段２は、異常状態検知手段６が異常状態を検知した場合に、炊飯動作終了後、ＬＣＤ２３に異常状態による炊飯動作である異常状態表示を行い、回数記憶手段７に記憶された回数が所定回数を超えた場合には炊飯器異常である異常表示に表示を変更するよう構成する。【選択図】図１
2009268717.tif 000002
【特許請求の範囲】
【請求項１】
炊飯器本体の上部を覆う蓋と、前記炊飯器本体の内部に収納される鍋と、前記鍋を加熱する加熱手段と、前記鍋の温度を検知する鍋温度検知手段と、複数の炊飯シーケンスを記憶するシーケンス記憶手段と、前記シーケンス記憶手段に記憶された複数の炊飯シーケンスから任意のシーケンスを選択する選択手段と、前記シーケンス記憶手段に記憶された炊飯シーケンスに合わせて前記加熱手段を制御する制御手段と、炊飯器の状態を表示する表示手段と、炊飯動作中に発生する誤操作、誤動作などの異常状態を検知する異常状態検知手段と、前記異常状態検知手段が異常状態を検知した炊飯動作回数を記憶する回数記憶手段とを備え、前記制御手段は、前記異常状態検知手段が異常状態を検知した場合に、炊飯動作終了後、前記表示手段に異常状態による炊飯動作である異常状態表示を行い、前記回数記憶手段に記憶された回数が所定回数を超えた場合には炊飯器異常である異常表示に表示を変更するよう構成した炊飯器。
【請求項２】
制御手段は、異常状態検知手段が異常状態を検知した場合に、炊飯動作終了後、表示手段に異常状態による炊飯動作である異常状態表示を行い、回数記憶手段に記憶された回数が所定回数を超えた場合には炊飯器異常である異常表示に表示を変更し、炊飯動作を停止するようにした請求項１記載の炊飯器。
【請求項３】
制御手段は、異常状態検知手段が異常状態を検知した場合に、炊飯動作終了後、表示手段に異常状態による炊飯動作である異常状態表示を行い、回数記憶手段に記憶された回数が所定回数を超えた場合には炊飯器異常である異常表示に表示を変更し、少なくとも前記異常状態検知手段が異常状態を検知した炊飯シーケンスが選択手段で選択された場合に炊飯動作を停止するようにした請求項１記載の炊飯器。
【請求項４】
炊飯中の工程時間を計時する計時手段を備え、炊飯動作中に発生する異常状態を検出する異常状態検知手段は、炊飯動作中の所定の工程において前記計時手段により計時された時間が第１の所定の時間内に鍋温度検知手段により検知した鍋の温度が第１の所定の温度に到達しない場合に、前記鍋温度検知手段の温度検知が正常でない異常状態と判断するようにした請求項１〜３のいずれか１項に記載の炊飯器。
【請求項５】
沸騰を検知する沸騰検知手段と、炊飯中の工程時間を計時する計時手段とを備え、炊飯動作中に発生する異常状態を検出する異常状態検知手段は、炊飯動作中の所定の工程において前記計時手段により計時された時間が第２の所定の時間内に前記沸騰検知手段により沸騰を検知しない場合に、前記沸騰検知手段が正常でない異常状態と判断するようにした請求項１〜３のいずれか１項に記載の炊飯器。
【請求項６】
沸騰を検知する沸騰検知手段と、炊飯中の工程時間を計時する計時手段とを備え、炊飯動作中に発生する異常状態を検出する異常状態検知手段は、炊飯動作中の所定の工程において鍋温度検知手段により検知した鍋の温度が第２の所定の温度に達してから前記計時手段により計時された時間が第３の所定の時間内に前記沸騰検知手段により沸騰を検知した場合に、前記鍋温度検知手段が正常でない異常状態と判断するようにした請求項１〜３のいずれか１項に記載の炊飯器。
【発明の詳細な説明】
【技術分野】
【０００１】
本発明は、炊飯動作中に発生する異常状態を検知可能な炊飯器に関するものである。
【背景技術】
【０００２】
近年、高機能な家庭電化機器としてマイクロコンピュータ（以下、マイコンと略称する）を内蔵した各種機器が提供されている。高機能な家庭電化機器においては、使用者の選択した指令に応答して、マイコンに格納された対応する動作プログラムが起動し、使用者が望む動作が実行される。当該家庭電化機器においては、動作プログラムが起動することにより、各種動作が指定された順に稼働し、使用者の選択した所望の動作が実行される。
【０００３】
しかし、家庭電化機器の動作中において、例えば使用者の誤操作、部品の故障、断線、停電等の異常状態が生じる場合がある。このように異常状態が生じた場合、使用者が指令した動作プログラムに従って忠実に実行できないため、動作プログラムに代わって安全性を確保しつつ動作を終了させるために特別なプログラムが実行されている。このような異常状態が生じた場合には、その異常状態を出来るだけ早く確実に検知して、使用者に通知する必要がある。そのため、家庭電化機器においては、各種センサを設けて異常状態を検知し、その異常状態を使用者に通知する手段を設けている（例えば、特許文献１参照）。
【特許文献１】特開２０００−４１８４５号公報
【発明の開示】
【発明が解決しようとする課題】
【０００４】
しかしながら、このような従来の炊飯器では、炊飯動作中に、炊飯動作が所定の時間内に、鍋の温度が所定の温度に達しないことを検知して、鍋に異物が付着している、もしくは、鍋と温度検知手段の間に米等の異物が介在することにより接触状態が異常であると検知している。
【０００５】
そして、接触状態が異常であることを表示するものの、正常な鍋の温度を検知できずに炊飯動作を終了しているため、満足できる炊きあがりにならなかった。
【０００６】
一方、製造上の問題により、例えば、温度検知手段の取り付けが不良なために、鍋と温度検知手段が正常に接触しない場合も、全く上記と同じ動作を行うことがある。
【０００７】
そして、このような異常が鍋と温度検知手段の間に米等の異物が介在したことが原因、すなわち、使用者の使用誤りであるのか、製品不良が原因であるのか、炊飯器の制御手段では判定できず、同じ異常表示をするしか方法がないという問題を有していた。
【０００８】
本発明は上記従来の課題を解決するもので、炊飯動作中に発生する異常状態の回数を記憶して、同じ異常状態が連続する場合は、製品に異常があると判断して製品異常表示に変更し、使用者に正確な異常状態の情報を提供できるようにすることを目的としている。
【課題を解決するための手段】
【０００９】
本発明は上記目的を達成するために、炊飯器本体の上部を蓋で覆うとともに炊飯器本体の内部に鍋を収納し、この鍋を加熱手段により加熱し、鍋の温度を鍋温度検知手段により検知し、シーケンス記憶手段に記憶された複数の炊飯シーケンスから選択手段により任意のシーケンスを選択し、シーケンス記憶手段に記憶された炊飯シーケンスに合わせて制御手段により加熱手段を制御し、炊飯器の状態を表示手段に表示し、炊飯動作中に発生する誤操作、誤動作などの異常状態を異常状態検知手段により検知し、異常状態検知手段が異
常状態を検知した炊飯動作回数を回数記憶手段に記憶するよう構成し、制御手段は、異常状態検知手段が異常状態を検知した場合に、炊飯動作終了後、表示手段に異常状態による炊飯動作である異常状態表示を行い、回数記憶手段に記憶された回数が所定回数を超えた場合には炊飯器異常である異常表示に表示を変更するよう構成したものである。
【００１０】
これにより、炊飯動作中に、正常な炊飯動作が行えなかった場合、その回数を記憶して、同じ異常状態が連続する場合は、製品に異常があると判断して製品異常表示に変更し、使用者に正確な異常状態の情報を提供することができる。
【発明の効果】
【００１１】
本発明の炊飯器は、炊飯動作中に正常な炊飯動作が行えなかった場合、その動作が異常状態なのか、製品に異常があるのかを判断して異常状態の表示を変更し、使用者に正確な異常状態の情報を提供することができる。
【発明を実施するための最良の形態】
【００１２】
第１の発明は、炊飯器本体の上部を覆う蓋と、前記炊飯器本体の内部に収納される鍋と、前記鍋を加熱する加熱手段と、前記鍋の温度を検知する鍋温度検知手段と、複数の炊飯シーケンスを記憶するシーケンス記憶手段と、前記シーケンス記憶手段に記憶された複数の炊飯シーケンスから任意のシーケンスを選択する選択手段と、前記シーケンス記憶手段に記憶された炊飯シーケンスに合わせて前記加熱手段を制御する制御手段と、炊飯器の状態を表示する表示手段と、炊飯動作中に発生する誤操作、誤動作などの異常状態を検知する異常状態検知手段と、前記異常状態検知手段が異常状態を検知した炊飯動作回数を記憶する回数記憶手段とを備え、前記制御手段は、前記異常状態検知手段が異常状態を検知した場合に、炊飯動作終了後、前記表示手段に異常状態による炊飯動作である異常状態表示を行い、前記回数記憶手段に記憶された回数が所定回数を超えた場合には炊飯器異常である異常表示に表示を変更するよう構成したものであり、炊飯動作中に、正常な炊飯動作が行えなかった場合、その回数を記憶して、同じ異常状態が連続する場合は、製品に異常があると判断して製品異常表示に変更し、使用者に正確な異常状態の情報を提供することができる。
【００１３】
第２の発明は、上記第１の発明において、制御手段は、異常状態検知手段が異常状態を検知した場合に、炊飯動作終了後、表示手段に異常状態による炊飯動作である異常状態表示を行い、回数記憶手段に記憶された回数が所定回数を超えた場合には炊飯器異常である異常表示に表示を変更し、炊飯動作を停止するようにしたものであり、炊飯動作中に、正常な炊飯動作が行えなかった場合、その回数を記憶して、同じ異常状態が連続する場合は、製品に異常があると判断して製品異常表示に変更し、使用者に正確な異常状態の情報を提供することができるとともに、製品に異常がある場合には製品の異常が拡大しないようにできる。
【００１４】
第３の発明は、上記第１の発明において、制御手段は、異常状態検知手段が異常状態を検知した場合に、炊飯動作終了後、表示手段に異常状態による炊飯動作である異常状態表示を行い、回数記憶手段に記憶された回数が所定回数を超えた場合には炊飯器異常である異常表示に表示を変更し、少なくとも前記異常状態検知手段が異常状態を検知した炊飯シーケンスが選択手段で選択された場合に炊飯動作を停止するようにしたものであり、炊飯動作中に、正常な炊飯動作が行えなかった場合、その回数を記憶して、同じ異常状態が連続する場合は、製品に異常があると判断して製品異常表示に変更し、使用者に正確な異常状態の情報を提供することができるとともに、製品に異常がある場合には製品の異常が拡大しないようにでき、製品に異常のない使用方法では使用可能にすることで、使い勝手のよい炊飯器を提供できる。
【００１５】
第４の発明は、上記第１〜３のいずれか１つの発明において、炊飯中の工程時間を計時する計時手段を備え、炊飯動作中に発生する異常状態を検出する異常状態検知手段は、炊飯動作中の所定の工程において前記計時手段により計時された時間が第１の所定の時間内に鍋温度検知手段により検知した鍋の温度が第１の所定の温度に到達しない場合に、前記鍋温度検知手段の温度検知が正常でない異常状態と判断するようにしたものであり、炊飯動作中の所定の工程において前記計時手段により計時された時間が第１の所定の時間内に鍋温度検知手段により検知した鍋の温度が第１の所定の温度に到達しない場合に、鍋温度検知手段が正常に鍋の温度を検知できなかったと判断し、鍋温度検知手段の温度検知異常により正常な炊飯動作が行えなかったことが使用者にわかるように表示でき、その回数を記憶して、同じ鍋温度検知手段の温度検知異常が連続する場合は、使用者の取り扱いが問題ではなく、鍋温度検知手段に異常があると判断して製品異常表示に変更し、使用者に正確な異常状態の情報を提供することができる。
【００１６】
第５の発明は、上記第１〜３のいずれか１つの発明において、沸騰を検知する沸騰検知手段と、炊飯中の工程時間を計時する計時手段とを備え、炊飯動作中に発生する異常状態を検出する異常状態検知手段は、炊飯動作中の所定の工程において前記計時手段により計時された時間が第２の所定の時間内に前記沸騰検知手段により沸騰を検知しない場合に、前記沸騰検知手段が正常でない異常状態と判断するようにしたものであり、炊飯動作中の所定の工程において計時手段により計時された時間が第２の所定の時間内に記沸騰検知手段により沸騰を検知しない場合に、沸騰検知手段が正常に温度検知できなかったと判断し、沸騰検知手段の温度検知異常により正常な炊飯動作が行えなかったことが使用者にわかるように表示でき、その回数を記憶して、同じ沸騰検知手段の温度検知異常が連続する場合は、使用者の取り扱いが問題ではなく、沸騰検知手段に異常があると判断して製品異常表示に変更し、使用者に正確な異常状態の情報を提供することができる。
【００１７】
第６の発明は、上記第１〜３のいずれか１つの発明において、沸騰を検知する沸騰検知手段と、炊飯中の工程時間を計時する計時手段とを備え、炊飯動作中に発生する異常状態を検出する異常状態検知手段は、炊飯動作中の所定の工程において鍋温度検知手段により検知した鍋の温度が第２の所定の温度に達してから前記計時手段により計時された時間が第３の所定の時間内に前記沸騰検知手段により沸騰を検知した場合に、前記鍋温度検知手段が正常でない異常状態と判断するようにしたものであり、炊飯動作中の所定の工程において鍋温度検知手段により検知した鍋の温度が第２の所定の温度に達してから計時手段により計時された時間が第３の所定の時間内に沸騰検知手段により沸騰を検知した場合に、鍋温度検知手段が正常に温度検知できなかったと判断し、鍋温度検知手段の温度検知異常により正常な炊飯動作が行えなかったことが使用者にわかるように表示でき、その回数を記憶して、同じ鍋温度検知手段の温度検知異常が連続する場合は、使用者の取り扱いが問題ではなく、鍋温度検知手段に異常があると判断して製品異常表示に変更し、使用者に正確な異常状態の情報を提供することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における炊飯器の炊飯器の主要部ブロック図を示し、図２は、同炊飯器の断面図を示すものである。なお、図面を簡潔にするために、電気的接続のためのリード線等は省略している。
【００２０】
図２に示すように、炊飯器本体１０は、上面が開口する略円筒形に形成し、内部に鍋１１を着脱自在に収納するため有底筒状の鍋収納部１０ａを有している。鍋収納部１０ａの底部には、鍋１１を誘導加熱する加熱コイル（加熱手段）１２を設けている。底温度セン
サー１３は、鍋１１の温度を検知するもので、鍋温度検知手段を構成しており、鍋１１の底面と当接するよう付勢して装着し、炊飯および保温時の鍋１１の温度を検知している。
【００２１】
炊飯器本体１０の上面開口部１０ｂは、炊飯器本体１０にヒンジ軸１５により開閉自在に支持された蓋１４で覆われている。蓋１４に設けた蒸気口１６は、炊飯中の蒸気を排出するものである。蓋１４の下面には、鍋１１に面した内蓋を構成する放熱板１７を設け、この放熱板１７上に蓋加熱手段である蓋ヒータ１８を設け、放熱板１７を加熱するようにしている。また、蓋温度センサー１９は、放熱板１７の温度を検知して沸騰を検知するもので、沸騰検知手段を構成しており、放熱板１７に当接するように設けている。鍋パッキン２０は、蓋１４を閉じたときに、鍋１１の上辺に当接し鍋１１を密閉する。
【００２２】
制御基板２１は、図１に示すように、マイクロコンピュータ１などで構成される制御手段２を搭載し、インバータ回路３を介して加熱コイル１２への電力供給を制御するとともに蓋ヒータ１８への電力供給を制御し、底温度センサー１３、蓋温度センサー１９の信号を読み込み、かつ計時手段４とシーケンス記憶手段５とを有している。計時手段４は炊飯中の工程時間を計時するものであり、シーケンス記憶手段５は複数の炊飯シーケンスを記憶するものである。入力スイッチ２２は、選択手段を構成し、シーケンス記憶手段５に記憶された複数の炊飯シーケンスから任意のシーケンスを選択するもので、使用者が操作時に用いるものである。制御基板２１上には、炊飯器の状態を表示するＬＣＤ（表示手段）２３や、操作時の入力受付報知や炊飯動作終了報知、再加熱動作終了報知のためのブザー（図示せず）を設けている。
【００２３】
加熱基板２４は、制御基板２１からの制御信号を入力して、加熱コイル１２への電力通電を制御するインバータ回路３を搭載するとともに、蓋ヒータ１８への電力通電を制御する駆動手段（図示せず）を搭載している。
【００２４】
異常状態検知手段６は、炊飯動作中に発生する誤操作、誤動作などの異常状態を検知するものであり、回数記憶手段７は、異常状態検知手段６が異常状態を検知した炊飯動作回数を記憶するものである。
【００２５】
ここで、制御手段２は、シーケンス記憶手段５に記憶された炊飯シーケンスに合わせて加熱コイル１２を制御するとともに、異常状態検知手段６が異常状態を検知した場合に、炊飯動作終了後、ＬＣＤ（表示手段）２３に異常状態による炊飯動作である異常状態表示を行い、回数記憶手段７に記憶された回数が所定回数（例えば、３回）を超えた場合には炊飯器異常である異常表示に表示を変更し、炊飯動作を停止するようにしている。
【００２６】
このとき、異常状態検知手段６は、炊飯動作中の所定の工程（例えば、炊き上げ工程）において、計時手段４により計時された時間が第１の所定の時間（例えば、炊き上げ終了時間）内に底温度センサー（鍋温度検知手段）１３により検知した鍋１１の温度が第１の所定の温度（例えば、炊き上げ終了温度）に到達しない場合に、底温度センサー１３の温度検知が正常でない異常状態と判断するようにしている。
【００２７】
上記構成において図３を参照しながら動作を説明する。図３は、本実施の形態における炊飯器の誤動作表示動作のフローチャートを示すものである。
【００２８】
図３のステップＳ１にて動作を開始すると、制御手段２はステップＳ２にて前炊き工程を行った後、ステップＳ３に進み炊き上げ工程に入る。ステップＳ４にて底温度センサー１３にて検知した鍋１１の温度が鍋炊き上げ終了温度に到達したかを判定し、鍋炊き上げ終了温度に到達していなければステップＳ５に進み、炊き上げ終了時間に到達したかを判定する。ステップＳ５にて炊き上げ終了時間に到達していなければステップＳ３に戻り、
ステップＳ３からステップＳ５の動作を繰り返す。ステップＳ５にて炊き上げ終了時間に到達するまでに、ステップＳ４にて炊き上げ終了温度に到達するとステップＳ６に進み、ステップＳ６にてむらし工程を行った後、ステップＳ７に進み、終了する。
【００２９】
一方、ステップＳ４にて炊き上げ終了温度に到達する前に、ステップＳ５にて炊き上げ終了時間に到達すると、異常状態検知手段６は底温度センサー１３の温度検知が正常でない異常状態と判断し、ステップＳ８に進み異物炊飯工程に入る。そして、ステップＳ９にて回数記憶手段７に記憶されている記憶回数に１をプラスし、ステップＳ１０にて回数記憶手段７に記憶されている記憶回数が所定回数（３回）以上かどうかを判定する。
【００３０】
ステップＳ１０にて、記憶回数が所定回数（３回）以上でなければステップＳ１１に進み、ステップＳ１１にてＬＣＤ（表示手段）２３に異常状態による炊飯動作である異常炊飯表示（Ｕ１２）を行い、その後、ステップＳ１２に進んで炊飯動作を停止して終了する。ステップＳ１０にて回数記憶手段７に記憶されている記憶回数が所定回数（３回）を超えた場合にはステップＳ１３に進み、ステップＳ１３にてＬＣＤ（表示手段）２３に炊飯器異常である異常表示（Ｈ１２）を行い、その後、ステップＳ１４に進んで炊飯動作を停止して終了する。
【００３１】
以上のように、本実施の形態においては、制御手段２は、異常状態検知手段６が異常状態を検知した場合に、炊飯動作終了後、ＬＣＤ（表示手段）２３に異常状態による炊飯動作である異常炊飯表示（Ｕ１２）を行い、回数記憶手段７に記憶された回数が所定回数（３回）を超えた場合には炊飯器異常である異常表示（Ｈ１２）に表示を変更するよう構成したので、炊飯動作中に、正常な炊飯動作が行えなかった場合、その回数を記憶して、同じ異常状態が連続する場合は、製品に異常があると判断して製品異常表示に変更し、使用者に正確な異常状態の情報を提供することができる。
【００３２】
また、制御手段２は、異常状態検知手段６が異常状態を検知した場合に、炊飯動作終了後、ＬＣＤ（表示手段）２３に異常状態による炊飯動作である異常炊飯表示（Ｕ１２）を行い、回数記憶手段７に記憶された回数が所定回数（３回）を超えた場合には炊飯器異常である異常表示（Ｈ１２）に表示を変更し、炊飯動作を停止するようにしたので、炊飯動作中に、正常な炊飯動作が行えなかった場合、その回数を記憶して、同じ異常状態が連続する場合は、製品に異常があると判断して製品異常表示に変更し、使用者に正確な異常状態の情報を提供することができるとともに、製品に異常がある場合には製品の異常が拡大しないようにできる。
【００３３】
また、異常状態検知手段６は、炊飯動作中の所定の工程（炊き上げ工程）において、計時手段４により計時された時間が第１の所定の時間（炊き上げ終了時間）内に底温度センサー１３により検出された鍋１１の温度が第１の所定の温度（炊き上げ終了温度）に到達しない場合に、底温度センサー１３の温度検知が正常でない異常状態と判断するようにしたので、炊飯動作中の所定の工程において、底温度センサー１３の温度検知異常により正常な炊飯動作が行えなかったことが使用者にわかるように表示でき、その回数を記憶して、同じ鍋温度検出手段の温度検知異常が連続する場合は、使用者の取り扱いが問題ではなく、底温度センサー１３に異常があると判断して製品異常表示に変更し、使用者に正確な異常状態の情報を提供することができる。
【００３４】
（実施の形態２）
図１に示す制御手段２は、異常状態検知手段６が異常状態を検知した場合に、炊飯動作終了後、ＬＣＤ（表示手段）２３に異常状態による炊飯動作である異常炊飯表示（Ｕ１２）を行い、回数記憶手段７に記憶された回数が所定回数（３回）を超えた場合には炊飯器異常である異常表示（Ｈ１２）に表示を変更し、異常状態検知手段６が異常状態を検知し
た炊飯シーケンスが入力スイッチ（選択手段）２２で選択された場合に炊飯動作を停止するようにしている。他の構成は上記実施の形態１と同じである。
【００３５】
上記構成において図４を参照しながら動作を説明する。図４は、本実施の形態における炊飯器の誤動作表示動作のフローチャートを示すものである。なお、ステップＳ１からステップＳ１４までの動作は、上記実施の形態１の動作と同じであるので説明を省略する。
【００３６】
図４のステップＳ１にて動作を開始し、ステップＳ１５にて入力スイッチ（選択手段）２２を入力し、ステップＳ１６にて、入力スイッチ２２で選択された炊飯シーケンスが異常状態検知手段６により異常状態を検知した炊飯シーケンスであるかどうかを判定し、異常状態検知手段６が異常状態を検知した炊飯シーケンスでなければ、ステップＳ２に進み、以降、上記実施の形態１の動作と同じ動作を行う。
【００３７】
ステップＳ１６にて、入力スイッチ（選択手段）２２で選択された炊飯シーケンスが異常状態検知手段６により異常状態を検知した炊飯シーケンスであれば、ステップＳ１７に進み、ステップＳ１７にてＬＣＤ（表示手段）２３に炊飯器異常である異常表示（Ｈ１２）を行い、その後、ステップＳ１８に進んで炊飯動作を停止して終了する。
【００３８】
以上のように、本実施の形態においては、制御手段２は、異常状態検知手段６が異常状態を検知した場合に、炊飯動作終了後、ＬＣＤ（表示手段）２３に異常状態による炊飯動作である異常炊飯表示（Ｕ１２）を行い、回数記憶手段７に記憶された回数が所定回数（３回）を超えた場合には炊飯器異常である異常表示（Ｈ１２）に表示を変更し、異常状態検知手段６が異常状態を検知した炊飯シーケンスが入力スイッチ（選択手段）２２で選択された場合に炊飯動作を停止するようにしているので、炊飯動作中に、正常な炊飯動作が行えなかった場合、その回数を記憶して、同じ異常状態が連続する場合は、製品に異常があると判断して製品異常表示に変更し、使用者に正確な異常状態の情報を提供することができるとともに、製品に異常がある場合には製品の異常が拡大しないようにでき、製品に異常のない使用方法では使用可能にすることで、使い勝手のよい炊飯器を提供できる。
【００３９】
（実施の形態３）
図５は、本発明の実施の形態３における炊飯器の炊飯器の主要部ブロック図を示すものである。
【００４０】
図５に示すように、蓋温度センサー１９は、放熱板１７の温度を検知して沸騰を検知するもので、沸騰検知手段を構成している。異常状態検知手段６は、炊飯動作中に発生する異常状態を検知するもので、炊飯動作中の所定の工程（例えば、炊き上げ工程）において計時手段４により計時された時間が第２の所定の時間（例えば、沸騰検知終了時間）内に蓋温度センサー１９により沸騰を検知しない場合に、蓋温度センサー１９が正常でない異常状態と判断するようにしている。他の構成は上記実施の形態１または２と同じであり、同一符号を付して説明を省略する。
【００４１】
上記構成において図６を参照しながら動作を説明する。図６は、本実施の形態における炊飯器の誤動作表示動作のフローチャートを示すものである。なお、ステップＳ１からステップＳ３、ステップＳ６、ステップＳ７、ステップＳ９およびステップＳ１０の動作は、上記実施の形態１の動作と同じであるので説明を省略する。
【００４２】
図６のステップＳ１にて動作を開始すると、制御手段２はステップＳ２にて前炊き工程を行った後、ステップＳ３に進み、炊き上げ工程に入る。ステップＳ１９にて蓋温度センサー１９にて検知した蓋１４の温度が沸騰検知温度に到達したかを判定し、沸騰検知温度に到達していなければステップＳ２０に進み、沸騰検知終了時間に到達したかを判定する
。ステップＳ５にて沸騰検知終了時間に到達していなければステップＳ３に戻り、ステップＳ３、ステップＳ１９、ステップＳ２０の動作を繰り返す。ステップＳ２０にて沸騰検知終了時間に到達するまでに、ステップＳ１９にて沸騰検知温度に到達するとステップＳ６に進み、ステップＳ６にてむらし工程を行った後、ステップＳ７に進み、終了する。
【００４３】
一方、ステップＳ１９にて沸騰検知温度に到達する前に、ステップＳ２０にて沸騰検知終了時間に到達すると、異常状態検知手段６は蓋温度センサー１９の温度検知が正常でない異常状態と判断し、ステップＳ２１に進み沸騰検知誤動作炊飯工程に入る。そして、ステップＳ９にて回数記憶手段７に記憶されている記憶回数に１をプラスし、ステップＳ１０にて回数記憶手段７に記憶されている記憶回数が所定回数（３回）以上かどうかを判定する。
【００４４】
ステップＳ１０にて、記憶回数が所定回数（３回）以上でなければステップＳ２２に進み、ステップＳ２２にてＬＣＤ（表示手段）２３に沸騰検知誤動作による炊飯動作である異常炊飯表示（Ｕ１３）を行い、その後、ステップＳ２３に進んで炊飯動作を停止して終了する。ステップＳ１０にて回数記憶手段７に記憶されている記憶回数が所定回数（３回）を超えた場合にはステップＳ２４に進み、ステップＳ２４にてＬＣＤ（表示手段）２３に炊飯器異常である異常表示（Ｈ１３）を行い、その後、ステップＳ２５に進んで炊飯動作を停止して終了する。
【００４５】
以上のように、本実施の形態においては、異常状態検知手段６は、炊飯動作中の所定の工程（炊き上げ工程）において計時手段４により計時された時間が第２の所定の時間（沸騰検知終了時間）内に蓋温度センサー１９により沸騰を検知しない場合に、蓋温度センサー１９が正常でない異常状態と判断するようにしたので、炊飯動作中の所定の工程（炊き上げ工程）において計時手段４により計時された時間が第２の所定の時間（沸騰検知終了時間）内に蓋温度センサー１９により沸騰を検知しない場合に、蓋温度センサー１９が正常に温度検知できなかったと判断し、蓋温度センサー１９の温度検知異常により正常な炊飯動作が行えなかったことが使用者にわかるように表示でき、その回数を記憶して、同じ蓋温度センサー１９の温度検知異常が連続する場合は、使用者の取り扱いが問題ではなく、蓋温度センサー１９に異常があると判断して製品異常表示に変更し、使用者に正確な異常状態の情報を提供することができる。
【００４６】
（実施の形態４）
図５に示す異常状態検知手段６は、炊飯動作中の所定の工程（例えば、炊き上げ工程）において底温度センサー（鍋温度検知手段）１３により検知した鍋１１の温度が第２の所定の温度（例えば、計時開始温度）に達してから計時手段４により計時された時間が第３の所定の時間（例えば、沸騰検知最低時間）内に蓋温度センサー（沸騰検知手段）１９により沸騰を検知した場合に、底温度センサー１３が正常でない異常状態と判断するようにしている。他の構成は上記実施の形態１〜３と同じである。
【００４７】
上記構成において図７を参照しながら動作を説明する。図７は、本実施の形態における炊飯器の誤動作表示動作のフローチャートを示すものである。なお、ステップＳ１、ステップＳ２およびステップＳ６からステップＳ１４の動作は、上記実施の形態１の動作と同じであるので説明を省略する。
【００４８】
図７のステップＳ１にて動作を開始すると、制御手段２はステップＳ２にて前炊き工程を行った後、ステップＳ２６に進み炊き上げ工程１に入る。ステップＳ２７にて底温度センサー１３にて検知した鍋１１の温度が計時開始温度に到達したかを判定し、計時開始温度に到達していなければステップＳ２６に戻り、ステップＳ２６とステップＳ２７を繰り返す。ステップＳ２７にて底温度センサー１３にて検知した鍋１１の温度が計時開始温度
に到達するとステップＳ２８に進み、計時手段４による計時を開始する。
【００４９】
ついで、ステップＳ２９に進み合数判定工程に入り、ステップＳ３０にて蓋温度センサー１９により検知した温度が沸騰検知温度に到達したかを判定する。蓋温度センサー１９により検知した温度が沸騰検知温度に到達していなければステップＳ２９に戻り、ステップＳ２９とステップＳ３０を繰り返す。ステップＳ３０にて蓋温度センサー１９にて検知した温度が沸騰検知温度に到達するとステップＳ３１に進む。ステップＳ３１で沸騰検知最低時間に到達しているかを判定し、沸騰検知最低時間に到達していればステップＳ３２に進み、炊き上げ工程２を行った後、ステップＳ６に進み、ステップＳ６にてむらし工程を行った後、ステップＳ７に進み、終了する。
【００５０】
ステップＳ３１で沸騰検知最低時間に到達していなければ、異常状態検知手段６は、底温度センサー１３が正常でない異常状態と判断し、ステップＳ８に進み異物炊飯工程に入る。そして、上記実施の形態１と同様に、ステップＳ９からステップＳ１４の動作を行う。
【００５１】
以上のように、本実施の形態においては、異常状態検知手段６は、炊飯動作中の所定の工程（炊き上げ工程）において底温度センサー（鍋温度検知手段）１３により検知した鍋１１の温度が第２の所定の温度（計時開始温度）に達してから計時手段４により計時された時間が第３の所定の時間（沸騰検知最低時間）内に蓋温度センサー（沸騰検知手段）１９により沸騰を検知した場合に、底温度センサー１３が正常でない異常状態と判断するようにしたので、炊飯動作中の所定の工程において底温度センサー１３により検知した鍋１１の温度が第２の所定の温度（計時開始温度）に達してから計時手段４により計時された時間が第３の所定の時間（沸騰検知最低時間）内に蓋温度センサー１９により沸騰を検知した場合に、底温度センサー１３が正常に温度検知できなかったと判断し、底温度センサー１３の温度検知異常により正常な炊飯動作が行えなかったことが使用者にわかるように表示でき、その回数を記憶して、同じ底温度センサー１３の温度検知異常が連続する場合は、使用者の取り扱いが問題ではなく、底温度センサー１３に異常があると判断して製品異常表示に変更し、使用者に正確な異常状態の情報を提供することができる。
【産業上の利用可能性】
【００５２】
以上のように、本発明にかかる炊飯器は、炊飯動作中に正常な炊飯動作が行えなかった場合、その動作が異常状態なのか、製品に異常があるのかを判断して異常状態の表示を変更し、使用者に正確な異常状態の情報を提供することができるので、炊飯動作中に発生する異常状態を検知可能な炊飯器として有用である。
【図面の簡単な説明】
【００５３】
【図１】本発明の実施の形態１における炊飯器の主要部ブロック図
【図２】同炊飯器の断面図
【図３】同炊飯器の誤動作表示動作のフローチャート
【図４】本発明の実施の形態２における炊飯器の誤動作表示動作のフローチャート
【図５】本発明の実施の形態３における炊飯器の主要部ブロック図
【図６】同炊飯器の誤動作表示動作のフローチャート
【図７】本発明の実施の形態４における炊飯器の誤動作表示動作のフローチャート
【符号の説明】
【００５４】
２  制御手段
５  シーケンス記憶手段
６  異常状態検知手段
７  回数記憶手段
１０  炊飯器本体
１１  鍋
１２  加熱コイル（加熱手段）
１３  底温度センサー（鍋温度検知手段）
１４  蓋
２２  入力スイッチ（選択手段）
２３  ＬＣＤ（表示手段）
【図１】
2009268717.tif 000003
【図２】
2009268717.tif 000004
【図３】
2009268717.tif 000005
【図４】
2009268717.tif 000006
【図５】
2009268717.tif 000007
【図６】
2009268717.tif 000008
【図７】
2009268717.tif 000009